(57)【要約】【課題】メンテナンス作業等の操作性の悪化を招くことなく、通常運転時のファンによる装置本体内への吸気流入量の低下を抑制できる電子装置を提供する。【解決手段】操作部品が搭載された操作基板の一端部を、装置本体に開閉可能に取り付けられた前面パネルに軸固定し、操作基板の他端部を装置本体内にスライド固定する。そして、前面パネルを閉じたときには操作基板が前面パネルに対して略垂直となるように配置し、前面パネルを開けたときは操作基板が装置本体内から引き出されるようにする。【選択図】図１
2008205093.tif 000002
【特許請求の範囲】
【請求項１】
装置本体の内部に外気を導入するためのファンを備えた電子装置であって、
前記装置本体に開閉可能に取り付けられた、前記ファンによる外気の吸気面となる前面パネルと、
一端部が前記前面パネルに軸固定され、他端部が前記装置本体内にスライド固定され、前記前面パネルを閉じたときに前記前面パネルに対して略垂直となるように前記装置本体内に収容され、前記前面パネルを開けたときに前記装置本体内から引き出される、操作部品が搭載された操作基板と、
を有する電子装置。
【請求項２】
前記操作基板の前記一端部及び前記他端部にそれぞれ回転軸が固定され、
前記一端部の回転軸が前記前面パネルの前記装置本体の内面側に設けられた軸受け部によって回転可能に取り付けられ、
前記他端部の回転軸が前記装置本体の内部に設けられたガイド部に沿って移動可能に取り付けられた請求項１記載の電子装置。
【請求項３】
前記前面パネルの一方の長辺が、接続部材によって前記装置本体に開閉可能に取り付けられた請求項１または２記載の電子装置。
【請求項４】
前記前面パネルの一方の短辺が、接続部材によって前記装置本体に開閉可能に取り付けられた請求項１または２記載の電子装置。
【請求項５】
前記操作基板が、
前記前面パネルを閉じたときに前記ファンによる外気の流路から外れた位置に収容される請求項１から４のいずれか１項記載の電子装置。
【請求項６】
前記装置本体内に発熱ユニットを備え、
前記前面パネルと前記発熱ユニット間に前記ファンが配置された請求項１から５のいずれか１項記載の電子装置。
【請求項７】
前記操作基板上に、
メンテナンス作業時に操作される第１の操作部品が取り付けられた請求項１から６のいずれか１項記載の電子装置。
【請求項８】
前記前面パネルに、
前記ファンにより前記装置本体内に外気を取り入れるための吸気孔と、
通常運転時に操作される第２の操作部品と、
を備える請求項１から７のいずれか１項記載の電子装置。
【発明の詳細な説明】
【技術分野】
【０００１】
本発明は装置本体内部に外気を導入するためのファンを備えた電子装置に関する。
【背景技術】
【０００２】
例えば、通信衛星に対して電波を送信するＳＮＧ（Satellite News Gathering）車では、車両内にテレビジョン放送を中継するための各種の電子装置が搭載される。これらの電子装置は、移動時の車体振動による転倒防止のために固定され、かつ狭い車両内にあってオペレータの作業スペースを確保するために作業スペース側にスイッチ類やキーボードあるいはモニタ等を集中して配置し、各電子機器間を接続するためのケーブル取り付け面（背面パネル）側には作業スペースを設けていないことが多い。
【０００３】
そのため、このような動作環境に設置された電子装置には、作業スペース側の前面パネルに各種スイッチや表示部等が設けられ、テレビジョン放送の中継時等の通常運転時にオペレータによってこれらの部品が操作されると共に、メンテナンス作業も作業スペース側から実施される。
【０００４】
また、内部に電力増幅器等の発熱ユニットを備えている電子装置では、該発熱ユニットを冷却するために、ファンを用いて作業スペース側から装置本体内部に外気を取り入れる必要がある。このようなファンを備えた電子装置の従来の構成例を図６に示す。
【０００５】
図６はファンを備えた電子装置の従来の構成を示す側断面図である。
【０００６】
図６に示す電子装置では、装置本体１１の内部に、電力増幅器等の発熱ユニット１５と、前面パネル１２側から装置本体１１内部に外気を導入して発熱ユニット１５を冷却するためのファン１４とが設置され、前面パネル１２の近くに、メンテナンス作業時に作業者が運転条件等を切り換えるためのスイッチ類が搭載された操作基板１３が固定されている。
【０００７】
このような構成において、通常運転時、前面パネル１２は閉じられ、前面パネル１２に設けられた不図示の吸気孔を通してファン１４により外気が装置本体１１の内部に吸気され、発熱ユニット１５が冷却される。一方、メンテナンス作業時、前面パネル１２は開かれ、作業者により操作基板１３上のスイッチ類を用いて運転条件等が切り換えられた後、必要なメンテナンス作業が実施される。
【０００８】
なお、ファンを用いて電子装置内を冷却する構造については、例えば特許文献１にも記載されている。特許文献１では、冷却用のファンを前面から取り出せるようにして、ファンの交換を容易にした構造が提案されている。
【特許文献１】特開平６−１１３４８６号公報
【発明の開示】
【発明が解決しようとする課題】
【０００９】
上記したような従来の電子装置では、図５に示したように、操作基板が、ファンと前面パネル間にあって、メンテナンス作業時の操作性を向上させるために吸気面（前面パネル）の近くに配置されている。そのため、装置本体内へ導入される外気の流れが操作基板によって阻害され、装置本体内への吸気流入量が低下する問題がある。
【００１０】
したがって、電子装置内に配置された発熱ユニットを十分に冷却するためには、吸気流入量の定格値がより大きいファンを用いなければならず、電子装置のコストや消費電力が増大してしまう。
【００１１】
本発明は上記したような従来の技術が有する問題点を解決するためになされたものであり、メンテナンス作業等の操作性の悪化を招くことなく、通常運転時のファンによる装置本体内への吸気流入量の低下を抑制できる電子装置を提供することを目的とする。
【課題を解決するための手段】
【００１２】
上記目的を達成するため本発明の電子装置は、装置本体の内部に外気を導入するためのファンを備えた電子装置であって、
前記装置本体に開閉可能に取り付けられた、前記ファンによる外気の吸気面となる前面パネルと、
一端部が前記前面パネルに軸固定され、他端部が前記装置本体内にスライド固定され、前記前面パネルを閉じたときに前記前面パネルに対して略垂直となるように前記装置本体内に収容され、前記前面パネルを開けたときに前記装置本体内から引き出される、操作部品が搭載された操作基板と、
を有する。
【００１３】
上記のような構成では、操作基板の一端部が前面パネルに軸固定され、他端部が装置本体内にスライド固定され、前面パネルを閉じたときに前面パネルに対して略垂直となるように前記装置本体内に収容され、前面パネルを開けたときに装置本体内から引き出されることで、前面パネルを閉じている通常運転時は、ファンによって装置本体の内部に導入された外気の流れが操作基板によって阻害されることがない。また、メンテナンス作業等のために前面パネルを開くと、該前面パネルの動きに応じて操作基板が装置本体内から引き出される。
【発明の効果】
【００１４】
本発明によれば、前面パネルを閉じている通常運転時は、ファンによって装置本体の内部に導入された外気の流れが操作基板によって阻害されることがないため、装置本体内への外気の吸気流入量の低下が抑制される。また、メンテナンス作業時は前面パネルを開く動きに応じて操作基板が装置本体内から引き出されるため、操作部品の操作性が悪化することがない。
【発明を実施するための最良の形態】
【００１５】
次に本発明について図面を参照して説明する。
【００１６】
図１は本発明の電子装置の一構成例を示す斜視図であり、図２は図１に示した操作基板の他端部の固定構造例を示す斜視図である。また、図３は図１に示した電子装置の前面パネルを閉じた状態を示す斜視図であり、図４は図３に示した電子装置の側断面図である。なお、図２及び図３は、操作基板の固定構造が理解しやすいように装置本体の一部を切り欠いた様子を示している。また、図４は、図３に示す電子装置を切断線（一点鎖線）に沿って切断したときの矢印（Ａ−Ａ’）方向から見た様子を示している。
【００１７】
本発明の電子装置は、従来の電子装置と同様に、装置本体１の内部に、電力増幅器等の発熱ユニット１０と、外気を装置本体内に導入して発熱ユニット１０を冷却するためのファン４と、メンテナンス作業時に作業者により運転条件等を切り換えるためのスイッチ３１や表示部３２等から成る第１の操作部品３０が搭載された操作基板３とを備えている。
【００１８】
本発明の電子装置では、図１に示すように操作基板３の前端（一端）部が前面パネル２に軸固定され、図２に示すように操作基板３の後端（他端）部が装置本体１内にスライド固定されている。すなわち、本発明の電子装置では、操作基板３の前端部及び後端部に回転軸５、６が固定され、前端部の回転軸５が、ファン４による外気の吸気面である前面パネル２の裏面（装置本体１の内面）側に設けられた軸受け部９によって回転可能に取り付けられている。また、操作基板３の後端部の回転軸６が装置本体１の内部に設けられたガイド部７に沿って移動可能に取り付けられている。前面パネル２は、例えば蝶番等の接続部材８を用いて装置本体１に開閉可能に取り付けられている。図１〜図４では前面パネル２の一方の長辺が接続部材８によって装置本体１に取り付けられた例を示している。
【００１９】
図３に示すように、前面パネル２には、通常運転時にオペレータにより操作される、スイッチ２１及び表示部２２等から成る第２の操作部品２０が取り付けられている。また、前面パネル２には、閉じたときにファン４と対向する部位に、外気を取り入れるための複数の吸気孔２３が設けられている。
【００２０】
このような構成において、テレビジョン放送の中継時等の通常運転時、前面パネル２は閉じられ、前面パネル２に設けられた吸気孔２３（図３参照）を通してファン４により外気が装置本体１の内部に導入される。このとき、図３に示すように操作基板３はガイド部７に沿って装置本体１内の上部に収容され、かつ吸気面（前面パネル２）に対してほぼ垂直に配置される。また、操作基板３は、図４に示すようにファン４によって外部から導入される外気４１の流路から外れた位置に収容されるため、吸気孔２３から装置本体１の内部に導入された外気４１は操作基板３によって阻害されることがなくファン４によって発熱ユニット１０に送風される。そのため、ファン４による装置本体１内への外気の吸気流入量の低下が抑制される。
【００２１】
一方、メンテナンス作業時、前面パネル２は開かれ、作業者により操作基板３上のスイッチ類を用いて運転条件等が切り換えられた後、必要なメンテナンス作業が実施される。このとき、操作基板３は、作業者による前面パネル２を開く動作に応じて装置本体１内から引き出され、図２に示すように操作基板３の後端部に固定された回転軸６がガイド部７の端部と当接する位置で停止する。この状態で作業者による操作が容易であるように、スイッチ３１や表示部３２等の第１の操作部品３０は操作基板３の上面に設けられている。そのため、通常運転時に操作基板３を装置本体１内に収容していても、メンテナンス作業等における第１の操作部品３０の操作性が悪化することがない。
【００２２】
本発明によれば、操作基板３の前端部を前面パネル２に軸固定し、かつ操作基板３の後端部を装置本体１内にスライド固定することで、メンテナンス作業時における操作性の悪化を招くことなく、通常運転時におけるファン４による装置本体内１への吸気流入量の低下を抑制できる。したがって、従来のように吸気流入量の定格値がより大きいファンを用いる必要がなく、電子装置のコストや消費電力が増大することがない。
【００２３】
なお、図１〜図４では、前面パネル２の一方の長辺が接続部材８によって装置本体１に取り付けられ、前面パネル２の開閉動作に応じて操作基板３を出し入れする構成を示したが、本発明はこのような構成に限定されるものではない。例えば、図５に示すように前面パネル２の一方の短辺が接続部材８によって装置本体１に取り付けられた構成であっても、操作基板３の前端（一端）部を前面パネル２に軸固定し、かつ操作基板３の後端（他端）部を装置本体１内にスライド固定すれば、上記図１〜図４に示した構成と同様の効果を得ることができる。
【００２４】
また、図１〜５では、前面パネル２が平板状に形成され、閉じたときにファン４と対向する部位に複数の吸気孔２３が設けられた例を示しているが、前面パネル２は平板状である必要はなく、装置本体１の前面開口を塞ぐことが可能であれば、例えば蓋状であってもよい。前面パネル２が蓋状の場合、前面パネル２に設ける吸気孔２３の位置は、閉じたときにファン４と対向する部位にある必要はなく、上下左右に隣接して配置された他の電子機器との間隔を確保可能ならば、蓋状の前面パネル２の側面に設けてもよい。但し、吸気孔２３を蓋状の前面パネル２の側面に設ける場合、操作基板３によって吸気が遮られる面には吸気孔２３を設けないことが望ましい。
【図面の簡単な説明】
【００２５】
【図１】本発明の電子装置の一構成例を示す斜視図である。
【図２】図１に示した操作基板の他端部の固定構造を示す斜視図である。
【図３】図１に示した電子装置の前面パネルを閉じた状態を示す斜視図である。
【図４】図３に示した電子装置の側断面図である。
【図５】本発明の電子装置の他の構成例を示す斜視図である。
【図６】ファンを備えた電子装置の従来の構成を示す側断面図である。
【符号の説明】
【００２６】
１    装置本体
２    前面パネル
３    操作基板
４    ファン
５、６    回転軸
７    ガイド部
８    接続部材
９    軸受け部
１０    発熱ユニット
２０    第２の操作部品
２１、３１    スイッチ
２２、３２    表示部
２３    吸気孔
３０    第１の操作部品
４１    外気
【図１】
2008205093.tif 000003
【図２】
2008205093.tif 000004
【図３】
2008205093.tif 000005
【図４】
2008205093.tif 000006
【図５】
2008205093.tif 000007
【図６】
2008205093.tif 000008